(57)【要約】      （修正有）【課題】チューブ容器の多種存在する直径に広く対応する手段と、チューブ容器を巻き上げながら内容物を押し出すことで、該内容物のほぼ全量を絞り出す手段と、該内容物を絞り出すために巻き上げた該チューブ容器が巻き戻らないようにその位置で保持する手段を有する、チューブ容器絞り器具を提供する。【解決手段】チューブ容器の末端部を差し入れて係止するスリット４を設けた巻き取り軸３とハンドル５を有する短、長、軸の長さの異なる１ａ、１ｂの本体と、巻き上げたチューブの巻き戻りを防止するアンカー７を有した本体の軸受け部品２とで１セットとなり、それらを組み合わせて使用する。これにより、チューブ容器の内容物のほぼ全量を絞り出す手段と、巻き上げた該チューブ容器が巻き戻らないようにその位置で保持する手段と、チューブ容器の多種存在する直径に広く対応する手段を提供する。【選択図】図１
0003111431.tif 000002
【実用新案登録請求の範囲】
【請求項１】
チューブ容器の末端部を差し入れて係止するスリットを有して、該チューブ容器を巻き上げることで内容物を押し絞り出す巻き取り軸と、巻き上げる力を入力するためのハンドルから成る本体及び、巻き取ったチューブの巻き戻りを防止するアンカーを有する本体の軸受け部品を、組み合わせて使用することを特徴とするチューブ容器絞り器具。
【請求項２】
上記巻き取り軸の長さはチューブの直径に対応して短長複数種用意し、上記軸受け部品とで任意に組み合わせて使用することを特徴とする請求項１記載のチューブ容器絞り器具。
【考案の詳細な説明】
【技術分野】
【０００１】
本考案は、医薬品をはじめ、化粧品、食品、接着剤などの容器として広く用いられるチューブ容器の内容物を絞り出すために使用するチューブ容器絞り器具に関する。
【背景技術】
【０００２】
チューブ容器の内容物を絞り出す装置、器具類はこれまでにも多数のものが提案され、すでに市販されているものもある。
【０００３】
しかし、その多くは現在の多岐にわたる用途によって異なる、すべてのチューブ容器の直径に対応できるものではなく、生活用品としては主に練り歯磨きの容器用を想定しているものが多いようである。
【０００４】
そのなかには、本考案のように軸にチューブ容器末端部を差し入れて、該チューブ容器を巻き上げながら内容物を押し出すことで、該内容物を絞り出す手段を有する提案はあるが、その使用に際しては、一度巻き上げたチューブをその位置で保持する押さえ機能が無いために、該チューブ容器自身の弾力によって巻き上げた該チューブ容器が解けてしまい、使用する毎に巻き上げ直す必要があったりする。
【０００５】
上記、巻き上げたチューブの保持機能を有し、簡易かつ小型の構成でチューブ容器の絞り器具として提案されたものも無いわけではない。代表的な例として、チューブスクィーザがある。
【特許文献１】特開２０００−２２９６５０号公報
【考案の開示】
【考案が解決しようとする課題】
【０００６】
解決しようとする問題点は、医薬品をはじめ、化粧品、食品、接着剤などの容器として用いられるチューブ容器の直径に広く対応する手段と、チューブ容器を巻き上げながら内容物を押し出すことで、該内容物のほぼ全量を絞り出す手段と、該内容物を絞り出すために巻き上げた該チューブ容器が巻き戻らないようにその位置で保持する手段を有する、チューブ容器絞り器具を提供することである。
【課題を解決するための手段】
【０００７】
本考案は、上記チューブ容器の直径に広く対応する手段として、短、長、軸の長さの異なるチューブ容器絞り器具本体を数種類のセットにして予め用意し、任意に選択できることを主要な特徴とするチューブ容器絞り器具である。
【０００８】
また本考案は、チューブ容器の末端部を差し入れて係止するスリットを設けた巻き取り軸とハンドルを有する本体と、軸長に比例して深くなるスリットのために強度が弱くなり、使用中にねじれや歪みが起こることを防止する軸受け部品を、組み合わせて使用することと、該軸受け部品に、巻き取ったチューブの巻き戻りを防止するアンカーを有した簡易かつ小型の構成を外観的な特徴とするチューブ容器絞り器具である。
【考案の効果】
【０００９】
本考案は、上記の手段によって、チューブ容器の直径を限定すること無くチューブの内容物を絞り出すことが可能となり、その大きさも太めのペン１本分くらいに収めることが可能なために置き場所を選ばず、洗面台や化粧台の隅に置いても邪魔にならない。そのため、長期滞在や旅行等で携行して使うこともできる。
【考案を実施するための最良の形態】
【００１０】
チューブ容器の末端部を差し入れて係止するスリットを設けた巻き取り軸とハンドルを有する短、長、軸の長さの異なるチューブ容器絞り器具本体を数種類と、巻き上げたチューブの巻き戻りを防止するアンカーを有した本体の軸受け部品とで１セットとなる、簡易かつ小型の構成を最良の形態を有したチューブ容器絞り器具であること。
【実施例１】
【００１１】
図１は本考案の１実施例の構成図で、１ａ、１ｂは本体で、２は軸受け部品であり、それぞれ１ａ、１ｂは３の巻き取り軸、４のスリット、５のハンドルによって構成され、２は６の軸受けに、７のチューブの巻き戻りを防止するアンカーを備え、使用時は１ａと２、あるいは１ｂと２を組み合わせて使用する。
【００１２】
なお、７は図１では２と一体となっており固定されているが、巻き取り作業の邪魔をしない位置まで可動できる機能を設けることも想定している。
【００１３】
本考案の１実施例は上記の如き部位で構成され、以下は使用する手順を具体的に説明して行く。
【００１４】
まず、チューブ容器の直径に合わせて任意に選択した１ａ、あるいは１ｂの３に設けた４にチューブ容器の末端部を差し入れて係止し、そのまま３の先端部は２の６に差し入れる。このとき、使用者の利き腕側は５を把持し、逆の腕側は該チューブ容器ごと２を把持する。
【００１５】
次に２とチューブ容器を把持した姿勢を保ったままで、５を回転させる動作をとることで該チューブ容器は３を軸にして巻き上げられるが、このとき２を把持した腕側の親指、あるいは人差し指を７に添えて該チューブ容器に押し付けることで、内容物を押し出す補助効果をさらに得られる。
【００１６】
以上のような手順を繰り返し行うことによって、該内容物を容易に、かつほぼ全量を絞り出すことが可能だが、内容物の量が少なくなってくるとチューブ容器自身の弾力によって巻き上げた該チューブ容器が解けてしまう。
【００１７】
上記の問題を防止する機能が７で、チューブ容器の巻きついた本考案を実施した状態で、チューブ容器の解ける力が発生する位置に７を回転移動させると、本体に巻きついた該チューブ容器は、自身の厚みによって１ａ、あるいは１ｂの３と、２の７に挟まれることになり、該チューブ容器がそれ以上巻き戻らないように該位置で保持する錨の役割を果たす。それをそのまま洗面台や化粧台の上に置いてもよい。
【産業上の利用可能性】
【００１８】
生活を送るうえですでに深く浸透した感のある、医薬品をはじめ、化粧品、食品、接着剤などの容器として広く用いられるチューブ容器の内容物を無駄なく絞り出し使い切ることは市民生活レベルではゴミの排出量を抑えることにつながり、また、金銭の節約となる利点がある。このことからも、使用できるチューブ容器の直径に因む用途の限定枠を取り去ることができる本考案はそれらの利点が適用できる用途をさらに推し進めることができるものである。
【図面の簡単な説明】
【００１９】
【図１】本考案のチューブ容器絞り器具の実施方法を示した構成図である。（実施例１）
【符号の説明】
【００２０】
１ａ  本体（短軸）
１ｂ  本体（長軸）
２    軸受け部品
３    チューブ容器巻取り用軸
４    スリット
５    ハンドル
６    軸受け部
７    アンカー
【図１】
0003111431.tif 000003